【手続補正書】
【提出日】平成26年9月18日(2014.9.18)
【手続補正１】
【補正対象書類名】明細書
【補正対象項目名】発明の名称
【補正方法】変更
【補正の内容】
【発明の名称】ネイルプリント装置及びネイルプリント装置の印刷制御方法
【手続補正２】
【補正対象書類名】明細書
【補正対象項目名】０００１
【補正方法】変更
【補正の内容】
【０００１】
本発明は、ネイルプリント装置及びネイルプリント装置の印刷制御方法に関するものである。
【手続補正３】
【補正対象書類名】明細書
【補正対象項目名】０００６
【補正方法】変更
【補正の内容】
【０００６】
本発明は以上のような事情に鑑みてなされたものであり、爪に印刷されるデザイン画像と同一のデザイン画像や、当該デザイン画像に柄、色調、雰囲気が関連したデザイン画像を、装飾具に印刷することができるネイルプリント装置及びネイルプリント装置の印刷制御方法を提供することを目的とするものである。
【手続補正４】
【補正対象書類名】明細書
【補正対象項目名】０００７
【補正方法】変更
【補正の内容】
【０００７】
前記課題を解決するために、本発明のネイルプリント装置は、
ネイルプリント装置において、
印刷が施される爪を含む指が挿入される指挿入部と、
前記指挿入部内に配置されて、少なくとも一つの装飾具の装飾パーツが載置される装飾具保持部と、
前記指挿入部に挿入された前記指の爪と、前記指挿入部内に配置されて前記装飾具保持部に載置されている前記装飾パーツの、印刷が施される被印刷面と、に印刷を施す印刷ヘッドと、
を備えることを特徴としている。
【手続補正５】
【補正対象書類名】特許請求の範囲
【補正対象項目名】全文
【補正方法】変更
【補正の内容】
【特許請求の範囲】
【請求項１】
ネイルプリント装置において、
印刷が施される爪を含む指が挿入される指挿入部と、
前記指挿入部内に配置されて、少なくとも一つの装飾具の装飾パーツが載置される装飾具保持部と、
前記指挿入部に挿入された前記指の爪と、前記指挿入部内に配置されて前記装飾具保持部に載置されている前記装飾パーツの、印刷が施される被印刷面と、に印刷を施す印刷ヘッドと、
を備えることを特徴とするネイルプリント装置。
【請求項２】
前記装飾具保持部は、前記装飾パーツを収容する凹部を有していることを特徴とする請求項１に記載のネイルプリント装置。
【請求項３】
前記指挿入部は、指が載置される載置面を有し、
前記装飾具保持部は、前記指挿入部に対して挿脱可能に設けられ、前記指挿入部内に挿入されて前記載置面上に載置され、前記載置面上から外されて前記指挿入部から取り出されることを特徴とする請求項２に記載のネイルプリント装置。
【請求項４】
前記指挿入部の側壁に、前記装飾具保持部をスライドさせて前記指挿入部に挿入する方向に延在する溝又は凸部が形成され、
前記装飾具保持部の前記指挿入部の側壁に対向する側の面に、前記溝に嵌る凸部、又は、前記凸部に嵌る溝が形成されていることを特徴とする請求項３に記載のネイルプリント装置。
【請求項５】
前記指挿入部の前記載置面に、前記装飾具保持部をスライドさせて前記指挿入部に挿入する方向に延在する溝又は凸部が形成され、
前記装飾具保持部の前記載置面に接する側の面に、前記溝に嵌る凸部、又は、前記凸部に嵌る溝が形成されていることを特徴とする請求項３又は請求項４に記載のネイルプリント装置。
【請求項６】
前記指挿入部は、指が載置される載置面を有し、
前記装飾具保持部は前記載置面の一部に形成されていることを特徴とする請求項１から請求項５のいずれか一項に記載のネイルプリント装置。
【請求項７】
前記装飾具保持部には前記装飾パーツが複数載置され、
前記印刷ヘッドは、前記装飾具保持部に載置されている複数の前記装飾パーツの前記被印刷面に連続して印刷を施すことを特徴とする請求項１から請求項６のいずれか一項に記載のネイルプリント装置。
【請求項８】
前記指と前記装飾具保持部とは前記指挿入部内に同時に設けられ、
前記印刷ヘッドは、前記指挿入部内に同時に設けられている前記指の爪と前記装飾具保持部に載置されている前記装飾パーツの前記被印刷面とに、連続して印刷を施すことを特徴とする請求項１から請求項７のいずれか一項に記載のネイルプリント装置。
【請求項９】
前記装飾具保持部には、前記装飾パーツが取り付けられた前記装飾具が、前記装飾パーツの前記被印刷面を前記印刷ヘッド側に向けて載置され、
前記装飾具は、更に、留め具を有し、
前記装飾具保持部は、更に、前記留め具を収容する凹部を有することを特徴とする請求項１から請求項８のいずれか一項に記載のネイルプリント装置。
【請求項１０】
前記装飾パーツの前記被印刷面は曲面であり、
前記印刷ヘッドは、前記被印刷面にインクを塗布して前記印刷を施し、
前記装飾パーツの前記被印刷面の曲面の曲率の値を含むパーツデータを記憶している記憶部と、
前記装飾パーツの前記被印刷面に塗布する前記インクの量を、前記記憶部に記憶されている前記パーツデータにおける前記曲率の値に応じて制御する印刷制御部と、
を備えることを特徴とする請求項１から請求項９のいずれか一項に記載のネイルプリント装置。
【請求項１１】
前記印刷制御部は、前記被印刷面の前記曲面の曲率の値が大きいほど前記印刷ヘッドによる印刷の際の印刷ピッチを細かくするように前記印刷ヘッドを制御することを特徴とする請求項１０に記載のネイルプリント装置。
【請求項１２】
前記装飾具保持部には、複数の前記装飾パーツのうちの特定の装飾パーツが載置され、
前記複数の装飾パーツの各々は互いに異なるパーツナンバーを有し、
前記記憶部は、前記複数の装飾パーツの各々に対応した複数の前記パーツデータを、複数の前記パーツナンバーの各々と対応付けて記憶しており、
前記印刷制御部は、
複数の前記パーツナンバーにおける前記特定の装飾パーツに対応して指定された特定のパーツナンバーに応じて、当該特定のパーツナンバーに対応する特定のパーツデータを前記記憶部から読み出し、
前記装飾パーツの前記被印刷面に塗布する際の前記印刷ピッチを、前記記憶部から読み出した前記特定のパーツデータにおける前記曲率の値に応じて制御することを特徴とする請求項１１に記載のネイルプリント装置。
【請求項１３】
前記印刷制御部は、前記指挿入部に挿入された前記爪にデザイン画像に基づく画像の印刷を施し、
前記装飾パーツの前記被印刷面に対応する被印刷領域を取得する印刷領域抽出部と、
前記印刷領域抽出部によって取得された前記被印刷領域に前記デザイン画像を合せ込むことにより、前記デザイン画像の元画像から前記被印刷領域の形状に沿った装飾具合せ込み画像を生成する合せ込み画像生成部と、
を備え、
前記印刷制御部は、
前記装飾具合せ込み画像から、前記印刷ピッチを前記特定のパーツデータにおける前記曲率の値に応じて調整した装飾具印刷用画像を生成し、
前記装飾具印刷用画像を前記装飾パーツの前記被印刷面に印刷することを特徴とする請求項１２に記載のネイルプリント装置。
【請求項１４】
ネイルプリント装置の印刷制御方法において、
前記ネイルプリント装置は、印刷が施される爪を含む指が挿入される指挿入部と、前記指挿入部内に配置されて、装飾具の少なくとも一つの装飾パーツが載置される装飾具保持部と、を有し、
前記指挿入部に前記指が挿入されているとき、印刷ヘッドにより前記指の爪に印刷を施し、
前記指挿入部内に配置された前記装飾具保持部に前記装飾パーツが載置されているとき、前記印刷ヘッドにより前記装飾パーツの、印刷が施される被印刷面に印刷を施すことを特徴とするネイルプリント装置の印刷制御方法。
【請求項１５】
前記装飾具保持部には前記装飾パーツが複数載置され、
前記印刷を施す動作は、前記装飾具保持部に載置されている複数の前記装飾パーツに連続して印刷を施す動作を含むことを特徴とする請求項１４に記載のネイルプリント装置の印刷制御方法。
【請求項１６】
前記指と前記装飾具保持部とは前記指挿入部内に同時に設けられ、
前記印刷を施す動作は、前記指挿入部内に同時に設けられている前記指の爪と前記装飾具保持部に載置されている前記装飾パーツとに、連続して印刷を施す動作を含むことを特徴とする請求項１４又は請求項１５に記載のネイルプリント装置の印刷制御方法。
【請求項１７】
前記装飾パーツの前記被印刷面は曲面であり、
前記ネイルプリント装置は、前記装飾パーツの前記被印刷面の曲面の曲率の値を含むパーツデータを記憶している記憶部を有し、
前記印刷を施す動作は、前記印刷ヘッドにより前記被印刷面にインクを塗布して前記印刷を施し、前記装飾パーツの前記被印刷面に塗布する前記インクの量を、前記記憶部に記憶されている前記パーツデータにおける前記曲率の値に応じて、制御する動作を含むことを特徴とする請求項１４から請求項１６のいずれか一項に記載のネイルプリント装置の印刷制御方法。
【請求項１８】
請求項１７に記載のネイルプリント装置の印刷制御方法において、
前記印刷を施す動作は、前記被印刷面の前記曲面の曲率の値が大きいほど前記印刷ヘッドにより印刷を行う際の印刷ピッチを細かくするように制御する動作を含むことを特徴とする請求項１７に記載のネイルプリント装置の印刷制御方法。
【請求項１９】
前記装飾具保持部には、複数の前記装飾パーツのうちの特定の装飾パーツが載置され、前記複数の装飾パーツの各々は互いに異なるパーツナンバーを有し、
前記記憶部は、前記複数の装飾パーツの各々に対応した複数の前記パーツデータを、複数の前記パーツナンバーの各々と対応付けて記憶しており、
前記印刷を施す動作は、
複数の前記パーツナンバーにおける前記特定の装飾パーツに対応して指定された特定のパーツナンバーに応じて、当該特定のパーツナンバーに対応する特定のパーツデータを前記記憶部から読み出す動作と、
前記装飾パーツの前記被印刷面に塗布する際の前記印刷ピッチを、前記記憶部から読み出した前記特定のパーツデータにおける前記曲率の値に応じて制御する動作と、
を含むことを特徴とする請求項１８に記載のネイルプリント装置の印刷制御方法。
【請求項２０】
前記印刷を施す動作は、
前記指挿入部に挿入された前記爪にデザイン画像に基づく画像の印刷を施す動作と、
前記装飾具保持部に載置された前記装飾パーツの前記被印刷面に対応する被印刷領域を取得する動作と、
取得された前記被印刷領域に前記デザイン画像を合せ込むことにより、前記デザイン画像の元画像から前記被印刷領域の形状に沿った装飾具合せ込み画像を生成し、
前記装飾具合せ込み画像から、前記印刷ピッチを前記特定のパーツデータにおける前記曲率の値に応じて調整した装飾具印刷用画像を生成する動作と、
前記装飾具印刷用画像を前記装飾パーツの前記被印刷面に印刷する動作と、
を含むことを特徴とする請求項１９に記載のネイルプリント装置の印刷制御方法。